(57)【要約】【課題】再生を一旦停止して再開する際に、停止するまでのコンテンツの内容を確認できるようにする。【解決手段】記録媒体であるＨＤＤ１１のコンテンツ再生動作を、キースイッチ１６の操作によって停止した際に、コンテンツのタイトル、ＨＤＤ１１の停止位置と停止時刻を、タイトル情報記憶部１４に記憶し、再生を再開した際に、タイトル情報記憶部１４に記憶された停止時刻と、現在時刻を比較して再生停止から現時刻までの経過時間を求め、時刻差に応じて、タイトル情報記憶部１４に記憶されているＨＤＤ１１の停止位置の戻し時間を特定し、特定した時間分だけ戻した位置から再生を再開する。【選択図】      図１
2005018912.tif 000002
【特許請求の範囲】
【請求項１】
記録媒体に記録されたコンテンツを再生する再生手段と、
前記再生手段による再生動作を停止させる再生停止手段と、
前記停止手段によって再生が停止された際の前記記録媒体の再生停止位置情報を記憶する記憶手段と、
前記再生が再開された際に、自動的に前記再生停止位置よりも所定時間分前の位置から前記記録媒体の再生を再開する再生再開手段と、
を具備したことを特徴とするコンテンツ再生装置。
【請求項２】
記録媒体に記録されたコンテンツを再生する再生手段と、
前記再生手段による再生動作を停止させる再生停止手段と、
前記停止手段によって再生が停止された際の前記記録媒体の再生停止位置情報と時刻情報を記憶する記憶手段と、
現在時刻情報を提供する時刻情報生成手段と、
前記記憶媒体の再生を再開させる再生再開手段であって、前記再生が停止された際の前記時刻情報と前記現在時刻情報を比較して、その差に応じて前記再生停止位置よりも時間的に前の位置から前記記録媒体の再生を再開させる再生再開手段と、
を具備したことを特徴とするコンテンツ再生装置。
【請求項３】
前記再生再開手段は、前記再生が停止された際の時刻情報と現在時刻情報と間の時間差が大きいと、より時間的に前の位置から再生を再開するものであることを特徴とする請求項２に記載のコンテンツ再生装置。
【請求項４】
前記再生停止手段と前記再生再開手段は、ユーザの操作によって起動されるものであることを特徴とする請求項１乃至３のいずれかに記載のコンテンツ再生装置。
【請求項５】
前記記憶手段は、再生が停止された際の前記記憶媒体の位置情報及び時刻情報と共にコンテンツのタイトルを記憶するものであり、前記再生再開手段は、ユーザの操作によって前記記憶手段に記憶された前記タイトルを含む情報を表示させる手段を備えることを特徴とする請求項１乃至４のいずれかに記載のコンテンツ再生装置。
【請求項６】
前記記憶手段は、前記再生停止手段によって再生が停止された際の前記タイトルと再生停止位置及び再生停止時刻を含む再生状況を示す情報を前記タイトル毎に複数タイトル分記憶するものであり、前記再生再開手段は、前記記憶手段に記憶された複数のタイトル毎の再生状況を示す情報をユーザがいずれかのタイトルを選択可能なように表示する手段を含むものであることを特徴とする請求項５に記載のコンテンツ再生装置。
【請求項７】
記録媒体に記録されたコンテンツを再生するステップと、
前記再生手段による再生動作を停止させるステップと、
前記再生が停止された際の前記記録媒体の再生停止を記憶するステップと、
再生が再開された際に自動的に前記再生停止位置よりも時間的に前の位置から前記記録媒体の再生を再開させるステップと、
を具備したことを特徴とするコンテンツ再生方法。
【請求項８】
記録媒体に記録されたコンテンツを再生するステップと、
前記再生手段による再生動作を停止させるステップと、
前記再生が停止された際の前記記録媒体の位置情報と時刻情報を記憶するステップと、
現在時刻情報を生成するステップと、
前記記憶媒体の再生を再開させるステップであって、前記再生が停止された際の前記時刻情報と前記現在時刻情報を比較し、その差に応じて前記再生停止位置よりも時間的に前の位置から前記記録媒体の再生を再開させるステップと、
を具備したことを特徴とするコンテンツ再生方法。
【発明の詳細な説明】
【０００１】
【発明の属する技術分野】
この発明は、記録媒体に記録されたコンテンツの再生装置及び再生方法に関し、特に再生を一旦中止して、その後そのコンテンツの再生を再開する際に、適切な再生ができるようにしたコンテンツ再生装置及び再生方法に関する。
【０００２】
【従来の技術】
昨今、記録媒体として、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｋ）等を用いてテレビジョン放送番組を録画するようにした録画再生装置が実用に供されるようになってきている。このような記録媒体がテレビジョン放送番組の録画に用いられるようになった要因としては、アクセス速度が高速になったことと、大容量化が進んで情報量当たりのコストが低下したことが上げられる。例えば、記録容量に関しては、百ギガバイト（Ｇｂｙｔｅ）を越える容量を有するＨＤＤが適用されており、高画質放送の番組で数十時間分の放送が録画でき、通常の画質の番組では、最大百時間を越えて録画することが可能になってきている。
【０００３】
このように、ＨＤＤを記録媒体とする録画再生装置においては、大量の放送番組の録画が可能となるために、長時間の番組であっても、記録媒体の記録可能容量をあまり意識することなく録画を実行することが可能である。そのような長時間番組を再生するには、その番組の全てを一度に再生して視聴するということは稀で、むしろ時間が空いたときに、都度、中断しつつ細切れに再生するような使われ方がされるものと予測される。
【０００４】
ＶＴＲ（Ｖｉｄｅｏ  Ｔａｐｅ  Ｒｅｃｏｒｄｅｒ）では、カセットの機械的なテープ走行位置で、再生を停止した位置を特定することが可能となるが、ＨＤＤ等の記録媒体においては、停止した位置を電気的に記憶しておいて、後にその番組の再生をする場合には、自動的に前回再生を停止した位置から再生を再開するようにした提案がされている（例えば特許文献１参照）。
【０００５】
しかしながら、再生を中断している時間が永いと、再生していた内容を忘れてしまうことがあり、再生を中断した位置から再生を再開した場合に、再生内容の辻褄を合せることができず、視聴内容を理解することができないという状況に陥ってしまうことがある。
【０００６】
【特許文献１】
特開２００２−１４２１９５号公報（第９，１２，１３頁、図９，１６，１８）
【０００７】
【発明が解決しようとする課題】
以上のように、従来、記録媒体に記録したコンテンツを再生中に再生を停止した位置を記憶しておいて、そのコンテンツの再生を再開した際に、停止した位置から再生を行なうようにした提案がされているが、再生停止から再開までに永い時間が経過していると、再生を停止した位置の番組内容を忘れてしまって、再開した再生の内容を理解できないという問題があった。
【０００８】
本発明は、以上の点に対処してなされたものであり、再生を停止して再開させる場合に、再生停止から再生再開までの経過時間に応じて、再生停止した位置から所定時間戻した位置から再生を再開するように構成することで、再生停止に至るまでの番組内容を再確認してから、新たな再生を実行できるようにしたコンテンツ再生装置及び再生方法を提供することを目的とする。
【０００９】
【課題を解決するための手段】
本発明のコンテンツ再生装置は、記録媒体に記録されたコンテンツを再生する再生手段と、前記再生手段による再生動作を停止させる再生停止手段と、前記停止手段によって再生が停止された際の前記記録媒体の再生停止位置情報を記憶する記憶手段と、前記再生が再開された際に、自動的に前記再生停止位置よりも所定時間分前の位置から前記記録媒体の再生を再開する再生再開手段と、を具備したことを特徴とする。
【００１０】
本発明によれば、再生を再開した際に、停止した位置より前に遡って再生が行われるため、内容を充分に把握することができるものである。
本発明のコンテンツ再生装置は、記録媒体に記録されたコンテンツを再生する再生手段と、前記再生手段による再生動作を停止させる再生停止手段と、前記停止手段によって再生が停止された際の前記記録媒体の再生停止位置情報と時刻情報を記憶する記憶手段と、現在時刻情報を提供する時刻情報生成手段と、前記記憶媒体の再生を再開させる再生再開手段であって、前記再生が停止された際の前記時刻情報と前記現在時刻情報を比較して、その差に応じて前記再生停止位置よりも時間的に前の位置から前記記録媒体の再生を再開させる再生再開手段と、を具備したことを特徴とする。
【００１１】
本発明によれば、再生を再開する際に、再生停止からの経過時間に応じた量、停止位置から前に遡って再生を再開するものであるため、長時間経過後の再生再開であってもコンテンツの内容の継続性を容易に認識することができるものである。
本発明のコンテンツ再生方法は、記録媒体に記録されたコンテンツを再生するステップと、前記再生手段による再生動作を停止させるステップと、前記再生が停止された際の前記記録媒体の再生停止を記憶するステップと、再生が再開された際に自動的に前記再生停止位置よりも時間的に前の位置から前記記録媒体の再生を再開させるステップと、を具備したことを特徴とする。
【００１２】
本発明によれば、再生を再開した際に、停止した位置より前に遡って再生が行われるため、内容を充分に把握することができるものである。
本発明のコンテンツ再生方法は、記録媒体に記録されたコンテンツを再生するステップと、前記再生手段による再生動作を停止させるステップと、前記再生が停止された際の前記記録媒体の位置情報と時刻情報を記憶するステップと、現在時刻情報を生成するステップと、前記記憶媒体の再生を再開させるステップであって、前記再生が停止された際の前記時刻情報と前記現在時刻情報を比較し、その差に応じて前記再生停止位置よりも時間的に前の位置から前記記録媒体の再生を再開させるステップと、を具備したことを特徴とする。
【００１３】
本発明によれば、再生を再開する際に、再生停止からの経過時間に応じた量、停止位置から前に遡って再生を再開するものであるため、長時間経過後の再生再開であってもコンテンツの内容の継続性を容易に認識することができるものである。
【００１４】
【発明の実施の形態】
以下、図面を参照して、本発明に係るコンテンツ再生装置を詳細に説明する。図１は、本発明のコンテンツ再生装置の回路ブロック図である。図１において、再生装置１０は、記録媒体としてのＨＤＤ１１と、このＨＤＤ１１に記録されたコンテンツを読み出して読み出した信号を処理する再生信号処理部１２と、ＨＤＤ１１と再生信号処理部１２を制御するための制御部１３を含み、さらに制御部１３に接続されたタイトル情報記憶部１４と時計部１５とキースイッチ１６及びメモリ１７を備える。
【００１５】
ＨＤＤ１１には、例えば、複数あるいは一つのテレビジョン番組を構成する映像信号と音声信号がコンテンツ情報として信号圧縮されて記録されている。再生信号処理部１２は、制御部１３から供給される位置特定情報に基づいて、ＨＤＤ１１から読み出された（再生された）映像信号及び音声信号を、伸張して非圧縮のデジタル信号に変換して出力する。
【００１６】
制御部１３は、機能として所定のファイルシステムに則って、ファイル（番組：タイトル）を再生するフアイル管理部１３ａを含み、このファイル管理部によって、ＨＤＤ１１に記録されているファイル名（番組名：タイトル）とそのファイルが記録される論理的あるいは物理的な記録位置が特定され、ＨＤＤ１１からのファイルの読出し（再生）を可能としている。ファイルシステムとしては、例えばＤＶＤで適用されているＵＤＦ（Ｕｎｉｖｅｒｓａｌ  Ｄｉｓｋ  Ｆｏｒｍａｔ）、Ｌｉｎｕｘ用のＥＸＴ２（Ｓｅｃｏｎｄ  Ｅｘｔｅｎｄｅｄ  Ｆｉｌｅ  Ｓｙｓｔｅｍ）あるいは、ＭＳ−ＤＯＳ（Ｍｉｃｒｏｓｏｆｔ  Ｄｉｓｋ  Ｏｐｅｒａｔｉｎｇ  Ｓｙｓｔｅｍ）（登録商標）で使われているＦＡＴ（Ｆｉｌｅ  Ａｌｌｏｃａｔｉｏｎ  Ｔａｂｌｅ）３２等を適用することができ、記録位置はブロック番号あるいはセクタ番号で特定可能である。
【００１７】
制御部１３は、さらに機能としての入力部１３ｂと比較部１３ｃと位置設定部１３ｄを有している。入力部１３ｂは、キースイッチ１６からの信号を受け、操作されたキーを特定するもので、再生を実行させるための再生キー１６ａと、番組（タイトル）を選択するための選択キー１６ｂと再生を停止させるための停止キー１６ｃを含む。
【００１８】
また、比較部１３ｃは、時計部１５からの現在時刻情報と、タイトル情報記憶部１４に記憶された再生停止時刻情報とを比較してその差を位置設定部１３ｄに送り、位置設定部１３ｄでは、時間差に基づいて、ファイルシステム１３ａを制御して、再生開始位置を特定し、ファイル管理部１３ａからＨＤＤ１１に対して位置を特定するブロック番号（あるいはセクタ番号）情報を出力させる。
【００１９】
以上のように構成された装置において、キースイッチ１６の再生キー１６ａをユーザが操作すると、制御部１３の入力部１３ｂがそれを検出して、ファイル管理部１３ａに保存されているＨＤＤ１１に記録された番組（ファイル）の一覧表を再生信号処理部１２を介して映像信号として出力し、図示しない表示手段で表示させる。
【００２０】
ユーザは、表示された一覧表から、例えばキースイッチ１６の図示しないカーソルキーあるいは数字キー等で、視聴（再生）したい番組を特定し、キースイッチ１６の選択キー１６ｂを操作すると、ファイル管理部１３ａは、その番組が記録されているＨＤＤ１１の位置を示す情報を順次更新しながらＨＤＤ１１に送る。それによって、ＨＤＤ１１から選択した番組を構成するコンテンツ情報が順次読み出され、再生信号処理部１２で伸張処理が施されて出力される。
【００２１】
再生信号処理部１２から出力される情報は、映像信号と音声信号を含み、映像信号は図示しない表示手段で表示され、音声信号もまた図示しない音声出力手段によって音声として出力される。
そのようにして、ＨＤＤ１１から再生されたコンテンツ情報の視聴が行なわれている途中で、来客、電話等視聴を中断せざるを得ない事態が発生した場合に、ユーザはキースイッチ１６の停止キー１６ｃを操作する。すると制御部１３の入力部１３ｂが、それを検出してファイル管理部１３ａのファイル位置情報の更新を停止すると共に、ＨＤＤ１１からの再生動作を停止させる。
【００２２】
再生動作を停止した際の、ファイル管理部１３ａのファイル位置情報は、ファイル名情報と共にタイトル情報記憶部１４に送られて記憶される。さらにファイルと位置情報とファイル名情報の記憶に合せて、時計部１５から供給されている現在時刻情報もタイトル情報記憶部１４に記憶される。
【００２３】
図２は、タイトル情報記憶部１４に記憶された情報を模式的に示す表である。図２において、情報は、３項目に分けられて、それぞれが列を構成するように示されている。最も左の列２１は、タイトル（ファイル名）を示すデータを示し、中の列２２がそのファイルの停止位置（ブロック番号）を示すデータ２２が示され、最も右の列２３がファイル再生を停止した日時のデータを示している。また、行方向には、４タイトルがそれぞれ２４，２５，２６，２７として表示されている。
【００２４】
図２の２４として示される番組（タイトル）は、タイトル（ファイル名）として２００３０５０５１３０１なる番号が付され、停止位置がブロック番号００４２８９３で、停止日時が２００３年の６月３日１２時１４分３４秒であることを示している。同様に、２５として示される番組は、２００３０５０９０８１５なる番号のファイルで、停止位置が１０９４７１９番のブロックで、停止日時が２００３年の６月７日２１時２分４１秒であることを示している。また、２６として示される番組は、２００３０５２３１９００なる番号のファイルで、停止位置が３６８３４２８番のブロックで、停止日時が２００３年の６月９日１９時４８分１２秒であることを示している。
【００２５】
さらにまた、２６として示される番組は、２００３０５２３２１３０なる番号のファイルで、停止位置が５７１４７９１番のブロックで、停止日時が２００３年の６月１０日１７時３６分２５秒であることを示している。
このように、図２に示す例では、過去に４本の番組が再生されて、視聴の途中で再生を停止したことが情報としてタイトル情報記憶部１４に記憶されているものである。なお、図２では、タイトルとしてファイル番号を示しているが、これに代えて実際の番組の題名をタイトルとして表示するようにしてもよい。番組の題名は、ＨＤＤ１１に番組を記録する際に、同時に記録させておくことが可能である。
【００２６】
ユーザは、これら視聴の途中で再生を停止した番組の再生を再開する場合、キースイッチ１６の再生キー１６ｂを操作する。それによってタイトル情報記憶部１４に記憶されていた図２に示す情報が読み出されて、制御部１３から再生信号処理部１２を介して図示しない表示手段で表示される。ユーザは、表示された番組リストから、視聴を再開したい番組をキースイッチ１６を操作して選択する。
【００２７】
それによって制御部１３は、選択された番組のタイトル情報記憶部１４に記憶されている停止日時情報を読み出して、比較部１３ｃに供給する。比較部１３ｃには、時計部１５から現在時刻情報が供給されており、ここで両者の差が求められる。比較部１３ｃで求められた停止日時情報と現在時刻との差は、位置設定部１３ｄに供給される。位置設定部では、比較部１３ｃからの出力に基づいて、再生開始位置の戻し量（時間）を特定し、その戻し量に応じてファイル管理部１３ａで再生開始位置（ブロック）を特定し、特定された再生位置からＨＤＤ１１の再生を再開する。
【００２８】
位置設定部１３ｄでは、再生停止日時が現在時刻からどの程度時間が経過しているかによって、再生再開位置を再生停止位置からどの程度前に戻して再生を再開するかの判定を行なうものであり、例えば図３に示す条件に基づいて、戻し量を特定する。
【００２９】
図３は、停止位置と、再生再開までの時間差との関係から４通りの再生態様を選択するようにした例を表で示すものである。
すなわち、条件Ａとして、停止位置がタイトルの先頭である場合が条件として掲げられている。これはそのタイトルの前の記録位置に記録された番組（タイトル）の再生が完了した状態であり、再生再開の日時に関わりなく、その停止位置から再生を再開する。
【００３０】
次に、条件Ｂとして、停止位置がタイトルの先頭ではなく、再生再開までの時間差が１０分未満である場合が揚げられており、その場合には停止位置を５秒戻してから再生を再開する。
条件Ｃとして、停止位置がタイトルの先頭ではなく、再生再開までの日時差が１０分以上３日未満である場合が揚げられ、停止位置を１０秒戻してから再生を再開する。
さらに条件Ｄとして、停止位置がタイトルの先頭ではなく、再生再開までの日時差が３日以上である場合が揚げられ、停止位置を２０秒戻してから再生を再開する。
停止位置がタイトルの先頭でない場合の再生態様を決定するための条件と、対応する再生態様は、図３に示すものに限定されるものではなく、より細かな条件を設定することも可能である。また再生再開までの戻し時間も、さらに短くてもよいし、あるいはさらに永くてもかまわないが、あまり永く設定すると冗長になる場合があり、永く設定する場合には、戻す部分を早送り再生にするとか、サンプリング的な再生をさせる等の処理をすることで、冗長さを解消することができるものである。
【００３１】
ユーザによって、図２に２５として示す番組の再生が選択され、現在日時が２００３年６月１０日１９時３６分１７秒であったとすると、停止日時との差が１０分以上３日未満であり、条件Ｃが成立する。よって、停止位置から１０秒戻った位置から再生が再開されることになる。そして、その番組の全てが再生し終わったら、制御部１３が、タイトル情報記憶部１４に記憶されているその番組の再生に関する情報を全て消去する。
【００３２】
図４は、再生の態様を模式的に示すタイミング図である。図４（ａ）は、再生再開までの時間差が１０分以内の場合を示すもので、時刻ｔ０でＡの位置から再生を開始して、時刻ｔ１でＢの位置で再生を停止している。そして時刻ｔ２で再生を再開するものであるが、ｔ２−ｔ１＜１０分であるため、戻し量ｔｒとして５秒分戻った位置Ｂ’から再生が再開され、時刻ｔ３でＣの位置で再生を終了するものである。
【００３３】
また、図４（ｂ）は、再生再開までの日時差が３日以上の場合を示すもので、時刻ｔ０でＡの位置から再生を開始して、時刻ｔ１でＤの位置で再生を停止している。そして時刻ｔ２で再生を再開するものであるが、ｔ２−ｔ１＞３日であるため、戻し量ｔｒとして２０秒分戻った位置Ｄ’から再生が再開され、時刻ｔ３でＥの位置で再生を終了するものである。
【００３４】
図５は、図１の装置において、再生を行い停止するまでの動作を説明するためのフローチャートである。図５において、ステップＳ５１１で開始され、ステップＳ５１２で、キースイッチ１６の再生キー１６ａが操作されたか否かが判定され、再生キー１６ａが操作されたことが判定されると、ステップＳ５１３で、ＨＤＤ１１に記録されている番組（タイトル：コンテンツ）の一覧が表示される。
【００３５】
次いで、ステップＳ５１４で、キースイッチ１６の選択キー１６ｂが操作されて、再生する番組が選択されたか否かが判定され、選択キー１６ｂが操作されたことが判定されたら、ステップＳ５１５で選択された番組を構成する映像信号及び音声信号をＨＤＤ１１から読み出して、伸張処理等の処理を施してから出力して表示手段に表示させる。
【００３６】
次いで、ステップＳ５１６で、キースイッチ１６の停止キー１６ｃが操作されたか否かが判定されて、停止キー１６ｃが操作されたことが判定されたら、ステップＳ５１７で再生していた番組（ファイル）を特定する情報と対で、再生停止位置と再生停止日時情報を、タイトル情報記憶部１４に記憶させ、ステップＳ５１８で処理を停止する。
【００３７】
図６は、再生を停止してから、再開するまでの処理を説明するためのフローチャートである。図６において、ステップＳ６１１で開始し、ステップＳ６１２でキースイッチ１６の再生キー１６ａが操作されたか否かが判定され、再生キー１６ａが操作されたことが判定されると、ステップＳ６１３でタイトル情報記憶部１４に記憶された、過去のタイトル別の再生動作に関する情報を読み出して表示する。
【００３８】
次いで、ステップＳ６１４で、表示されたタイトル一覧から、ユーザがキースイッチ１６の選択キー１６ｂを操作して再生を所望する番組を選択したか否かの判定がなされる。選択キー１６ｂが操作されて、再生を所望する番組が選択されたことが判定されると、ステップＳ６１６で選択キー１６ｂが操作された日時を、時計部１５から得て、メモリ１７に一旦記憶させる。
【００３９】
次に、ステップＳ６１６で選択された番組の停止位置がタイトルの先頭であるか否かの判定が行なわれ、停止位置がタイトルの先頭である場合に、停止位置をそのまま再生開始位置として再生を行なう。
ステップＳ６１６で、停止位置がタイトルの先頭でないと判定されたら、ステップＳ６１８で再生停止日時と、選択キー操作日時との差ｔを求める。次いで、ステップＳ６１９でｔが１０分未満であるか否かの判定がなされ、１０分未満であった場合に、ステップＳ６２０で、再生停止位置を５秒戻してから再生を実行する。
【００４０】
ステップＳ６１９でｔが１０分未満でないと判定されたら、ステップＳ６２１で、ｔが１０分以上３日未満であるか否かの判定が行なわれ、ｔが１０分以上３日未満である場合には、ステップＳ６２２で再生停止位置を１０秒戻してから再生を実行する。
【００４１】
ステップＳ６２１で、ｔが１０分以上３日未満でないと判定されたら、ステップＳ６２３で再生停止位置を２０秒戻してから再生を実行する。
ステップＳ６１７、Ｓ６２０、Ｓ６２２、Ｓ６２３の各ステップにおける再生動作は、ステップＳ６２４でその番組が最後まで再生されことが判定されるまで継続される。そしてその番組が最後まで再生されたことが判定されたら、ステップＳ６２５で、その番組に関するタイトル情報記憶部１４に記憶されている情報を消去して、ステップＳ６２６で処理を終了する。
【００４２】
以上のように、本発明のコンテンツ再生装置においては、記録媒体に記憶されたコンテンツを再生している途中で再生を一旦停止し、後に再生を再開する場合に、再生を停止してから再生を再開するまでの時間差に応じて、再生停止位置から所定時間分戻った位置から再生を再開するものであるため、新規部分を再生する前に、過去再生した内容を自動的に確認することができるため、長時間の番組で何回かの中断を余儀なくされてしまっても、番組の内容を復習しつつ視聴することができるため、内容を確実に理解しつつ視聴を行なうことができるようになるものである。
【００４３】
なお、図１に示す装置においては、ＨＤＤ１１に記録された番組を視聴する装置として構成されているが、例えば放送番組を受信して、ＨＤＤ１１に記録する機能を備えた記録再生装置として構成することもできるあり、そのように記録再生装置として構成した実施の形態を、図７に示す。
【００４４】
図７において、図１と同一部分に同一符号を付して詳細な説明は、省略する。図７は、デジタルテレビジョン放送を受信して、番組を構成する映像信号と音声信号を記録媒体に記録して再生する機能を備えたテレビジョン受信機に本発明を適用したものである。
【００４５】
図７において、テレビジョン受信機７０は、図示しないアンテナからの放送信号を受けるアンテナ端子７１を備える。アンテナ端子７１は、チューナ／復調部７２に接続され、チューナ／復調部７２では、放送チャンネルの選局処理が行なわれると共に、選局されたチャンネルの受信信号の復調と誤り訂正等の処理を施して、トランスポートストリーム（ＴＳ）信号としてデマルチプレクサ７３に供給する。デマルチプレクサ７３では、多重伝送されるＴＳ信号から、番組を構成する映像信号及び音声信号を分離抽出してＭＰＥＧ（Ｍｏｖｉｎｇ  Ｐｉｃｔｕｒｅ  Ｅｘｐｅｒｔｓ  Ｇｒｏｕｐ）デコーダ７４に出力すると共に、番組タイトル情報を含むＳＩ（Ｓｅｒｖｉｃｅ  Ｉｎｆｏｒｍａｔｉｏｎ）、ＰＳＩ（Ｐｒｏｇｒａｍ  Ｓｐｅｃｉｆｉｃ  Ｉｎｆｏｒｍａｔｉｏｎ）等の付加情報を分離抽出して制御部１３に供給する。
【００４６】
制御部１３は、テレビジョン受信機１０の全体の機能、動作の制御を司るものであり、チューナ／復調部７２での選局処理、デマルチプレクサ７３による情報の選択を制御する他、後述するＨＤＤの記録再生制御、さらには、デマルチプレクサ７３から供給される付加情報の解析とＯＳＤ（Ｏｎ  Ｓｃｒｅｅｎ  Ｄｉｓｐｌａｙ）信号の生成も行なう。
【００４７】
ＭＰＥＧデコーダ７４では、映像信号がデコードされて非圧縮のデジタル映像信号として映像信号処理部７５に供給される。映像信号処理部７５では、ＭＰＥＧデコーダ７４から供給される番組映像信号に、選択的に制御部１３から供給されるＯＳＤ信号を重畳し、さらにデジタル信号をアナログ信号に変換して、標準テレビジョン信号にエンコードして出力する。また、映像信号処理部７５は、ＨＤＤから信号を再生している状態においては、その再生信号を選択して処理する入力切換機能をも備えているが詳細は後述する。映像信号処理部７５から出力される映像信号は、表示部７６に供給されて表示される。
【００４８】
また、ＭＰＥＧデコーダ７４では、音声信号のデコードも行なっており非圧縮のデジタル信号に変換された音声信号は、音声信号処理部７７でアナログ信号に変換されて音声出力部７８から音声として出力される。さらに、音声信号処理部７７は、ＨＤＤから信号を再生している状態においては、その再生信号を選択して処理する入力切換機能をも備えているが詳細は後述する。
【００４９】
また、ＭＰＥＧデコーダ７４から出力される映像信号及び音声信号は、信号圧縮処理部７９に供給される。信号圧縮処理部７９では、映像信号及び音声信号に対して所定の圧縮処理を施して、ＨＤＤ１１に導出する。ＨＤＤ１１は、ＨＤＤコントローラ８０に接続されており、制御部１３の制御の下、ＨＤＤコントローラ８０を介して駆動されて信号圧縮処理部７９からの信号を記録する。
【００５０】
さらにＨＤＤ１１は、信号伸張処理部８１が接続されており、制御部１３の制御の下、ＨＤＤコントローラ８０を介して駆動されて、記録されている信号を再生して信号伸張処理部８１に供給する。信号伸張処理部８１では、ＨＤＤ１１から再生された信号を伸張して元のデジタル信号に変換し、映像信号処理部７５と音声信号処理部７７に導出する。
【００５１】
映像信号処理部７５と音声信号処理部７７は、制御部１３の制御の下、ＨＤＤ１１から信号を再生している状態においては、信号伸張処理部８１からの信号を選択して処理し、出力するように動作する。
さらに制御部１３には、ユーザが、受信機７０の動作及び機能を設定するための入力部８２が接続されており、入力部８２は、受信機７０の例えば図示しない前面パネルに設けられた複数の切換えスイッチで構成されるか、またはリモートコントローラからの信号を受信する受信器として構成することができる。
【００５２】
また、制御部１３には、タイトル情報記憶部１４、時計部１５、位置設定部１３ｄとメモリ１７が接続されている。メモリ１７には、制御部１３で実行されるプログラムが記憶されていると共に、ＯＳＤ信号を生成するための文字、記号、符号その他表示用キャラクタのためのデータが予め蓄積されている。
【００５３】
以上のように構成された受信機７０において、ＨＤＤ１１への記録を実行する場合、ユーザは、入力部８２を操作して、番組表（ＥＰＧ：Ｅｌｅｃｔｒｉｃ  Ｐｒｏｇｒａｍ  Ｇｕｉｄｅ）の表示を制御部１３に対して要求する。
制御部１３は、デマルチプレクサ７３でＥＰＧデータを含むＳＩ、ＰＳＩを分離抽出させて、これを取り込んで解析し、ＧＵＩ（Ｇｒａｐｈｉｃａｌ  Ｕｓｅｒ  Ｉｎｔｅｒｆａｃｅ）構成の番組表を構築してこれを映像信号処理部７５に導出すると共に、その番組表を映像信号処理部７５でＭＰＥＧデコーダ７４から供給される映像信号に重畳させ、さらに表示部７６で表示可能な映像信号に変換して表示部７６で表示させる。
【００５４】
ユーザは、入力部８２を操作して、表示部７６で表示された番組表から所望の番組を選択することで、その番組の録画予約を行なう。それによって、録画予約した番組の放送が開始されると、その映像信号及び音声信号が信号圧縮処理部７９で圧縮されて、ＨＤＤ１１に供給され、ＨＤＤコントローラ８０の駆動によって、信号圧縮処理部７９の出力がＨＤＤ１１に記録される。
【００５５】
また、ＨＤＤ１１への記録と同時に、その番組のタイトルが例えばＥＰＧから抽出され、ＨＤＤコントローラ８０から得られるＨＤＤ１１の記録位置を示すブロック情報及び時計部１５から得られる現在時刻情報と共にタイトル情報記憶部１４に記憶される。
【００５６】
以上のようにして、ＨＤＤ１１に、放送番組が記録されると共に、その番組の情報がタイトル情報記憶部１４に順次記憶される。
ＨＤＤ１１に記憶された番組の再生は、ユーザが入力部８２を操作して、例えば再生キーを操作する。それによって、タイトル情報記憶部１４に記憶されている，ＨＤＤ１１に記録された番組のタイトル情報が読み出されて制御部１３でＧＵＩ形式のＯＳＤ信号として構築され、映像信号処理部７５を介して表示部７６で表示される。
【００５７】
ユーザは入力部８２を操作して、表示された番組リストから再生したい番組を選択する。それによって、制御部１３は、ユーザが選択した番組が記録されているブロック番号情報をタイトル情報記憶部１４から読み出し、それに基づいて、ＨＤＤコントローラ８０を介してＨＤＤ１１を駆動し、ユーザが選択した番組の映像信号及び音声信号をＨＤＤ１１から読み出して、信号伸張処理部８１、映像信号処理部７５、音声信号処理部７７を介して表示部７６と音声出力部７８で表示及び出力する。
【００５８】
そのようにして、ＨＤＤ１１から所望の番組を再生している状態において、ユーザが入力部８２を操作して、再生を停止させた場合、図８に示すように、再生していた番組のタイトル名と、停止位置及び停止日時が、タイトル情報記憶部１４に記憶される。
【００５９】
制御部１３は、所望の番組を選択して再生している状態において、その番組の全てを再生し終わったら、自動的に再生動作が終了するように制御し、ユーザが停止キーによって再生を強制的に停止させた場合にその都度、タイトルと停止位置（ブロック番号あるいはセクタ番号）及び停止日時がタイトル情報記憶部１４に記憶するように制御する。
【００６０】
再生を停止した番組の再生を再開する場合、ユーザは入力部８２を操作して、制御部１３の制御の下、タイトル情報記憶部１４から図８に示す情報を読み出して、これを映像信号処理部７５を介して表示部７６で表示させる。
ユーザが、入力部８２を操作して、表示された番組リストから再生を再開したい番組を選択すると、制御部１３は、タイトル情報記憶部１４のその番組の再生停止日時と、時計部１５から得られる現在時刻情報を比較し、その差に応じて、位置設定部１３ｄで再生開始位置戻し量を特定する。さらに制御部１３は、位置設定部１３ｄで特定された戻し量に応じて、ＨＤＤコントローラ８０を介してＨＤＤ１１を駆動し、再生停止日時からの経過時間に応じて、再生開始位置を戻して再生を再開させる。すなわち、図３に示す条件で、再生開始位置を戻して再生を再開するものである。
【００６１】
以上のように本発明のコンテンツ再生装置は、記録媒体に記録された番組を再生している途中で、停止操作を行なった際に、その停止位置と停止時刻を記憶しておいて、再生を再開する際に、再生停止からの経過時間に応じた量、再生停止位置を戻してから再生するようにしたので、再生を再開する際に、番組の内容を復習することができるので、好ましい再生状態を維持することができるものである。
【００６２】
【発明の効果】
以上のように、本発明のコンテンツ再生装置は、再生を再開させる際に、再生を停止した位置から所定量再生済みの部分に遡って再生を再開するようにしたので、再生を停止した部分の内容を、思い出すことができるための、番組内容を継続して容易に認識することができるようになるものである。
【図面の簡単な説明】
【図１】本発明に関わるコンテンツ再生装置の一実施の形態を示す回路構成図。
【図２】図１に示す装置の動作を説明するための構成図。
【図３】図１に示す装置の動作を説明するための構成図。
【図４】図１に示す装置の動作を説明するための構成図。
【図５】図１に示す装置の動作を説明するためのフローチャート。
【図６】図１に示す装置の動作を説明するためのフローチャート。
【図７】本発明のコンテンツ再生装置の他の実施の形態を示す回路構成図。
【図８】図７で示す装置の動作を説明するための構成図。
【符号の説明】
１０…コンテンツ再生装置
１１…ＨＤＤ
１２…再生信号処理部
１３…制御部
１４…タイトル情報記憶部
１５…時計部
１６…キースイッチ
１７…メモリ
【図１】
2005018912.tif 000003
【図２】
2005018912.tif 000004
【図３】
2005018912.tif 000005
【図４】
2005018912.tif 000006
【図５】
2005018912.tif 000007
【図６】
2005018912.tif 000008
【図７】
2005018912.tif 000009
【図８】
2005018912.tif 000010